(57)【特許請求の範囲】
【請求項１】
第１通信可能範囲を有する第１の基地局に接続して通信を行い、且つ前記第１の基地局に最初に接続するときに、該第１の基地局の識別情報を取得する第１の通信制御部と、
前記第１通信可能範囲に一部又は全部が含まれる第２通信可能範囲を有する第２の基地局に接続して通信を行い、且つ前記第１の通信制御部による前記第１の基地局への最初の接続時に、前記第２の基地局に接続し、該第２の基地局の識別情報を取得する第２の通信制御部と、
前記第１の通信制御部により取得された前記第１の基地局の識別情報、及び前記第２の通信制御部により取得された前記第２の基地局の識別情報を記憶し、前記第１の通信制御部が再度前記第１の基地局と接続する場合、前記第２の基地局への前記第２の通信制御部による接続が可能か否かを判定し、接続可の場合、前記第１の通信制御部による前記第１の基地局への接続を実行させる通信制限部と
を備えたことを特徴とする携帯電話装置。
【請求項２】
それぞれ異なる電話番号を記憶している複数の電話番号記憶媒体から選択される１つの前記電話番号記憶媒体が着脱可能な装着部をさらに備え、
前記通信制限部は、前記第１の基地局の識別情報及び前記第２の基地局の識別情報に加えて、前記第１の通信制御部による前記第１の基地局への最初の接続時に前記装着部に装着されている電話番号記憶媒体に記憶されている電話番号を記憶し、前記第１の通信制御部が再度前記第１の基地局と接続する場合、自己が記憶している電話番号と前記第１の通信制御部が再度前記第１の基地局と接続する時点で前記装着部に装着されている電話番号記憶媒体に記憶されている電話番号とが一致するか否かを判定し、一致すると判定した場合に、前記第１の通信制御部による前記第１の基地局への接続を実行させる
ことを特徴とする請求項１に記載の携帯電話装置。
【請求項３】
携帯電話装置によって実行される携帯電話制御方法であって、
前記携帯電話が、
第１通信可能範囲を有する第１の基地局への最初の接続時に、該第１の基地局の識別情報を取得して記憶し、且つ前記第１の基地局の前記第１通信可能範囲に一部又は全部が含まれる第２通信可能範囲を有する第２の基地局に接続し、該第２の基地局の識別情報を取得して記憶し、
再度前記第１の基地局と接続する場合、前記第２の基地局への接続が可能か否かを判定し、
前記判定において前記第２の基地局への接続が可能と判定された場合、前記第１の基地局への接続を行うことを特徴とする携帯電話制御方法。
【請求項４】
コンピュータに、
第１通信可能範囲を有する第１の基地局への最初の接続時に、該第１の基地局の識別情報を取得して記憶し、且つ前記第１の基地局の前記第１通信可能範囲に一部又は全部が含まれる第２通信可能範囲を有する第２の基地局に接続し、該第２の基地局の識別情報を取得して記憶し、
再度前記第１の基地局と接続する場合、前記第２の基地局への接続が可能か否かを判定し、
前記第２の基地局への接続が可能と判定された場合、前記第１の基地局への接続を行う
処理を実行させることを特徴とする携帯電話制御プログラム。
【発明の詳細な説明】
【技術分野】
【０００１】
本発明は、携帯電話装置、携帯電話制御方法及び携帯電話制御プログラムに関する。
【背景技術】
【０００２】
近年、３Ｇ(3rd Generation)網などの無線公衆網での通話機能及びＷＬＡＮ(Wireless Local Area Network：無線ＬＡＮ)通信網での通信機能を備えた携帯電話が普及してきている。このような携帯電話では、ＷＬＡＮを使ってパケット通信を行うこと及び３Ｇ網を使って音声通話を行うことの両方の機能を使用することができる。
【０００３】
従来、無線公衆網の基地局からの位置情報を受けて、その基地局の通信エリア内に存在するＷＬＡＮアクセスポイント（基地局）をスキャンすることで、無駄なスキャンの実行を減らし、省電力効果を向上させる技術が提案されている。
【先行技術文献】
【特許文献】
【０００４】
【特許文献１】特開２００９−２０１１０４号公報
【発明の概要】
【発明が解決しようとする課題】
【０００５】
通信エリア内のＷＬＡＮアクセスポイントを自動スキャンする従来技術では、ＷＬＡＮ網の内部に移動するだけで自動的にＷＬＡＮ網での通信が可能となる利便性はあるが、逆に、ＷＬＡＮの電波が届く場所であればＷＬＡＮ接続が可能ということである。これでは、例えば会社の建物の外からでも会社のＷＬＡＮ網に接続できてしまう。このようにＷＬＡＮの電波が届く場所であればどこからでもそのＷＬＡＮ網への接続ができてしまっては、セキュリティが弱体化する危険がある。
【０００６】
開示の技術は、上記に鑑みてなされたものであって、ＷＬＡＮ通信におけるセキュリティを向上させる携帯電話装置、携帯電話制御方法及び携帯電話制御プログラムを提供することを目的とする。
【課題を解決するための手段】
【０００７】
本願の開示する携帯電話装置、携帯電話制御方法及び携帯電話制御プログラムは、一つの態様において、第１通信可能範囲を有する第１の基地局に接続して通信を行い、且つ前記第１の基地局に最初に接続するときに、該第１の基地局の識別情報を取得する第１の通信制御部と、前記第１通信可能範囲に一部又は全部が含まれる第２通信可能範囲を有する第２の基地局に接続して通信を行い、且つ前記第１の通信制御部による前記第１の基地局への最初の接続時に、前記第２の基地局に接続し、該第２の基地局の識別情報を取得する第２の通信制御部と、前記第１の通信制御部により取得された前記第１の基地局の識別情報、及び前記第２の通信制御部により取得された前記第２の基地局の識別情報を記憶し、前記第１の通信制御部が再度前記第１の基地局と接続する場合、前記第２の基地局への前記第２の通信制御部による接続が可能か否かを判定し、接続可の場合、前記第１の通信制御部による前記第１の基地局への接続を実行させる通信制限部とを備えたことを特徴とする。
【発明の効果】
【０００８】
本願の開示する携帯電話装置、携帯電話制御方法及び携帯電話制御プログラムの一つの態様によれば、ＷＬＡＮ網への接続可能範囲をＷＬＡＮ網より狭い範囲に制限し、ＷＬＡＮ通信におけるセキュリティを向上させるという効果を奏する。
【図面の簡単な説明】
【０００９】
【図１】図１は、実施例１に係る携帯電話装置を用いた通信システムの全体構成を説明するための図である。
【図２】図２は、実施例１に係る携帯電話装置のブロック図である。
【図３】図３は、ＷＬＡＮの設定画面及びフェムト基地局の通信範囲内にＷＬＡＮの通信を制限するための設定画面の一例の図である。
【図４】図４は、実施例１に係る携帯電話装置においてＷＬＡＮ通信をフェムト基地局の通信範囲に制限するよう設定するときの処理のフローチャートである。
【図５】図５は、実施例１に係る携帯電話装置による以前に接続したことのあるＷＬＡＮ基地局に接続する場合の処理のフローチャートである。
【図６】図６は、実施例１に係る携帯電話装置によるＷＬＡＮ通信を実行時の通信処理のフローチャートである。
【図７】図７は、実施例１におけるＷＬＡＮ通信のフェムト基地局の通信範囲内への制限の設定を説明するための概略図である。
【図８】図８は、実施例１において携帯電話装置がフェムト基地局の通信範囲外へ移動した場合の動作を説明するための概略図である。
【図９】図９は、携帯電話装置のハードウェア構成図である。
【図１０】図１０は、実施例２に係る携帯電話装置のブロック図である。
【図１１】図１１は、実施例２に係る携帯電話装置におけるＷＬＡＮ通信をフェムト基地局の通信範囲に制限する設定画面の一例の図である。
【図１２】図１２は、実施例２に係る携帯電話装置による以前に接続したことのあるＷＬＡＮ基地局に接続する場合の処理のフローチャートである。
【図１３】図１３は、実施例２におけるＷＬＡＮ通信のフェムト基地局の通信範囲内への制限の設定を説明するための概略図である。
【図１４】図１４は、実施例２において携帯電話装置がフェムト基地局の通信範囲外へ移動した場合の動作を説明するための概略図である。
【発明を実施するための形態】
【００１０】
以下に、本願の開示する携帯電話装置、携帯電話制御方法及び携帯電話制御プログラムの実施例を図面に基づいて詳細に説明する。なお、以下の実施例により本願の開示する携帯電話装置、携帯電話制御方法及び携帯電話制御プログラムが限定されるものではない。
【実施例１】
【００１１】
図１は、実施例１に係る携帯電話装置を用いた通信システムの全体構成を説明するための図である。まず、図１を参照して、本実施例に係る携帯電話装置を用いた通信システムの全体的な動作について説明する。
【００１２】
本実施例に係る通信システムは図１に示すように、携帯電話装置１、フェムト基地局２、ＷＬＡＮ基地局３、インターネット４、フェムト基地局制御装置５及び公衆携帯電話網６を有している。
【００１３】
携帯電話装置１は、フェムト基地局２及びＷＬＡＮ基地局３と無線通信が可能である。携帯電話装置１は、フェムト基地局２又はＷＬＡＮ基地局３のいずれに接続するかを指定して通信を行う。
【００１４】
フェムト基地局２は、公衆携帯電話網の小型基地局である。フェムト基地局２は、通常の基地局と同様に、ハンドオフやページング等を行う。フェムト基地局２は、インターネット４を介してフェムト基地局制御装置５とつながっている。フェムト基地局２は、携帯電話装置１から送信されたデータを受信する。そして、フェムト基地局２は、受信したデータをインターネット４を介してフェムト基地局制御装置５へ送信する。このフェムト基地局２の通信可能範囲を「フェムトセル」と言うことがある。フェムト基地局２は、フェムト基地局２の識別情報を含むフェムトセル報知情報を出力する。このフェムト基地局２が「第２の基地局」の一例にあたる。また、フェムト基地局２のフェムトセルが「第２通信可能範囲」の一例にあたる。
【００１５】
フェムト基地局制御装置５は、公衆携帯電話網６とつながっている。フェムト基地局制御装置５は、受信したデータを公衆携帯電話網６に対応するデータに変換する。そして、フェムト基地局制御装置５は、変換したデータを公衆携帯電話網６へ出力する。その後、フェムト基地局制御装置５から出力されたデータは、指定された携帯電話装置などにより受信される。
【００１６】
ＷＬＡＮ基地局３は、ＬＡＮ（Local Area Network）への無線通信によるアクセスポイントである。ＷＬＡＮ基地局３は、インターネット４と接続されている。ＷＬＡＮ基地局３は、携帯電話装置１から送信されたデータを受信する。そして、ＷＬＡＮ基地局３は、受信したデータをインターネット４上に送出する。そして、ＷＬＡＮ基地局３から出力されたデータは、インターネット４に接続しており、且つデータの送信先として指定された情報機器に送信される。このＷＬＡＮ基地局３に対する携帯電話装置１の接続については、後で詳細に説明する。このＷＬＡＮ基地局３が「第１の基地局」の一例にあたる。そして、ＷＬＡＮ基地局３の通信可能範囲が「第１通信可能範囲」の一例にあたる。
【００１７】
一般的に、フェムト基地局２の通信可能範囲はＷＬＡＮ基地局３の通信可能範囲よりも小さい。また、フェムト基地局２の通信可能範囲はＷＬＡＮ基地局３の通信可能範囲はそれぞれ共存できる。すなわち、フェムト基地局２の通信可能範囲はＷＬＡＮ基地局３の通信可能範囲と重なり合っていても良い。
【００１８】
図２は、実施例１に係る携帯電話装置のブロック図である。本実施例に係る携帯電話装置１は、図２に示すように、統括制御部１１、フェムト通信制御部１２、ＷＬＡＮ通信制御部１３、表示制御部１４、入力制御部１６及び音声入出力制御部１７を有している。
【００１９】
フェムト通信制御部１２は、無線通信制御部１２１及び呼制御部１２２を有している。フェムト通信制御部１２は、フェムト基地局２のフェムトセル報知情報の取得命令を統括制御部１１から受信する。そして、フェムト通信制御部１２は、無線通信制御部１２１が受けたデータ及びフェムトセル報知情報を統括制御部１１へ出力する。また、フェムト通信制御部１２は、呼制御部１２２による通信確立の判定結果を統括制御部１１へ出力する。このフェムト通信制御部１２が「第２の通信制御部」の一例にあたる。
【００２０】
無線通信制御部１２１は、３Ｇ網を用いた無線通信においてフェムト基地局２を介した無線信号の送受信を制御する。無線通信制御部１２１は、音声入出力制御部１７又は入力制御部１６から入力されたデータ（音声や電子メールデータなど）を統括制御部１１を介して受信し、そのデータを通信中の携帯電話装置などに送信する。また、無線通信制御部１２１は、通信中の携帯電話装置などからのデータを受けて、受けたデータを統括制御部１１へ出力する。
【００２１】
また、フェムト通信制御部１２がフェムト基地局２のフェムトセル報知情報の取得命令を統括制御部１１から受けると、無線通信制御部１２１は、現在通信が行えるフェムト基地局２からフェムトセル報知情報を受信する。この場合、携帯電話装置１は、フェムト通信制御部１２がフェムト基地局放置情報を受信できたフェムト基地局２の通信圏内にあるといえる。
【００２２】
呼制御部１２２は、発呼及び着呼の制御を行う。具体的には、呼制御部１２２は、後述する入力制御部１６から発信の命令を受けて、通信確立信号を生成する。そして、呼制御部１２２は、無線通信制御部１２１を介して通信確立信号を他の携帯電話装置に送信する。呼制御部１２２は、通信確立信号に対する応答信号を受信する。そして、呼制御部１２２は、応答信号を受信すると通信が確立したと判定する。すなわち、呼制御部１２２が、通信確立信号を送信し、その通信確立信号に対する他の携帯電話装置からの応答を受けることにより、携帯電話装置１と他の携帯電話装置との間の通信が確立することになる。
【００２３】
また、呼制御部１２２は、フェムト通信制御部１２が入力制御部１６から入力された通話終了の命令を統括制御部１１から受信すると、通信中の携帯電話装置に対して通話終了の信号を無線通信制御部１２１を介して送信する。そして、呼制御部１２２は、通信中の携帯電話装置から通話終了応答を受信すると通話を終了する。また、呼制御部１２２は、通信中の携帯電話装置から通話終了の信号を受信した場合、通話終了応答を通信中の携帯電話装置に対して送信し、その後通話を終了する。
【００２４】
ＷＬＡＮ通信制御部１３は、ＷＬＡＮ通信におけるＷＬＡＮ基地局３を介したデータの送受信の制御を行う。ＷＬＡＮ通信制御部１３は、入力制御部１６から入力されたデータを統括制御部１１を介して受信し、そのデータをインターネット４で接続された通信相手に送信する。また、ＷＬＡＮ通信制御部１３は、通信相手からのデータを受けて、受けたデータを統括制御部１１へ出力する。ただし、ＷＬＡＮ通信制御部１３は、後述する通信制限部１１１によってＷＬＡＮ基地局３への接続が禁止されると、ＷＬＡＮ基地局３と接続していない場合であればＷＬＡＮ基地局３と接続を行わない状態を継続する。また、ＷＬＡＮ基地局３に接続している場合であれば、ＷＬＡＮ通信制御部１３は、通信制限部１１１によってＷＬＡＮ基地局３への接続が禁止されると、ＷＬＡＮ基地局３との通信を切断する。そして、ＷＬＡＮ通信制御部１３は、通信制限部１１１によりＷＬＡＮ基地局３への接続が禁止された状態から接続許可へと設定が変更されると、ＷＬＡＮ基地局３への接続を行い、ＷＬＡＮ通信を開始する。このＷＬＡＮ通信制御部１３が「第１の通信制御部」の一例にあたる。
【００２５】
統括制御部１１は、通信制限部１１１を有している。統括制御部１１は、入力制御部１６からフェムト基地局２を用いた通信開始の命令又はＷＬＡＮ基地局３を用いた通信開始の命令を受ける。以下では、統括制御部１１が、フェムト基地局２を用いた無線通信開始の命令を受けた場合と、ＷＬＡＮ基地局３を用いた通信開始の命令を受けた場合とを分けて説明する。
【００２６】
まず、統括制御部１１が、フェムト基地局２を用いた無線通信開始の命令を受けた場合について説明する。統括制御部１１は、フェムト基地局２を用いた無線通信開始の命令をフェムト通信制御部１２へ出力する。そして、呼制御部１２２により通信が確立したと判定されると、統括制御部１１は、入力制御部１６又は音声入出力制御部１７から入力されたデータをフェムト通信制御部１２へ出力する。また、統括制御部１１は、無線通信制御部１２１が受信したデータの入力をフェムト通信制御部１２から受ける。そして、統括制御部１１は、フェムト通信制御部１２から受信したデータが音声であれば、受信したデータを音声入出力制御部１７へ出力する。また、統括制御部１１は、フェムト通信制御部１２から受信したデータが電子メールなどの音声データ以外のデータであれば、表示制御部１４へ受信したデータを出力する。
【００２７】
次に、統括制御部１１が、ＷＬＡＮ基地局３を用いた通信開始の命令を受けた場合について説明する。統括制御部１１は、ＷＬＡＮ基地局３を用いた通信開始の命令を受けると、フェムトセル報知情報の取得をフェムト通信制御部１２に命令する。そして、統括制御部１１は、ＷＬＡＮ通信開始の命令を受けた時点でのフェムトセル報知情報の入力をフェムト通信制御部１２から受ける。ここで、統括制御部１１は、フェムト通信制御部１２がフェムトセル報知情報を取得できなかった場合には、統括制御部１１は、通信可能なフェムト基地局２がないと判定する。
【００２８】
ここで、初めてのＷＬＡＮ基地局３に接続する場合と、以前に接続したことのあるＷＬＡＮ基地局３に接続する場合とで、通信制限部１１１の動作が異なるため、以下ではそれぞれの場合に場合分けをして説明する。
【００２９】
まず、初めてのＷＬＡＮ基地局３に接続する場合について説明する。通信制限部１１１は、ＷＬＡＮ通信開始の命令を受けると、接続のために入力制御部１６により指定されたＷＬＡＮ基地局３の識別情報を取得する。そして、通信制限部１１１は、接続ＯＫと判定するまでの間の仮の設定として、まずＷＬＡＮ通信制御部１３による指定されたＷＬＡＮ基地局３への接続を不許可にする。そして、通信制限部１１１は、統括制御部１１がフェムト通信制御部１２から受信したフェムト報知情報に含まれるフェムト基地局２の識別情報を、ＷＬＡＮ基地局３の識別情報と対応させて記憶する。そして、通信制限部１１１は、ＷＬＡＮ通信制御部１３によるＷＬＡＮ基地局３への接続を許可に変更する。これにより、ＷＬＡＮ通信制御部１３は、指定されたＷＬＡＮ基地局への接続が可能となる。
【００３０】
これに対して、統括制御部１１により通信可能なフェムト基地局２なしと判定されると、通信制限部１１１は、ＷＬＡＮ通信制御部１３によるＷＬＡＮ通信を禁止する。具体的には、通信制限部１１１は、ＷＬＡＮ通信制御部１３に対してＷＬＡＮ通信を不許可にしたままにしておくことで、ＷＬＡＮ通信制御部１３によるＷＬＡＮ通信を禁止する。この場合、通信制限部１１１は、フェムト基地局２の識別情報及びＷＬＡＮ基地局３の識別情報のいずれも記憶しない。
【００３１】
次に、以前に接続したことのあるＷＬＡＮ基地局３に接続する場合について説明する。通信制限部１１１は、ＷＬＡＮ通信開始の命令を受けると、接続のために入力制御部１６により指定されたＷＬＡＮ基地局３の識別情報を取得する。そして、通信制限部１１１は、接続ＯＫと判定するまでの間の仮の設定として、まずＷＬＡＮ通信制御部１３による指定されたＷＬＡＮ基地局３への接続を不許可にする。そして、通信制限部１１１は、統括制御部１１がフェムト通信制御部１２から受信したフェムト報知情報に含まれるフェムト基地局２の識別情報を取得する。そして、通信制限部１１１は、自己が記憶している指定されたＷＬＡＮ基地局３に対応するフェムト基地局２の識別情報と、受信したフェムト基地局２の識別情報とを比較する。受信したフェムト基地局２の識別情報が記憶しているフェムト基地局２の識別情報と一致する場合、通信制限部１１１は、ＷＬＡＮ通信制御部１３によるＷＬＡＮ基地局３への接続を許可に変更する。これにより、ＷＬＡＮ通信制御部１３は、指定されたＷＬＡＮ基地局３への接続が可能となる。
【００３２】
これに対して、受信したフェムト基地局２の識別情報が記憶しているフェムト基地局２の識別情報と一致しない場合、通信制限部１１１は、ＷＬＡＮ通信制御部１３によるＷＬＡＮ通信を禁止する。具体的には、通信制限部１１１は、ＷＬＡＮ通信制御部１３に対してＷＬＡＮ通信を不許可にしたままにしておくことで、ＷＬＡＮ通信制御部１３によるＷＬＡＮ通信を禁止する。
【００３３】
表示制御部１４は、統括制御部１１からの指示を受けて、携帯電話装置１のディスプレイ（以下では、単に「ディスプレイ」と言う。）に各種の画面を表示させる。例えば、表示制御部１４は、電話番号の入力画面や、ＷＬＡＮ通信を行う場合のＷＬＡＮの設定画面などをディスプレイに表示させる。ここで、表示制御部１４は、実際には統括制御部１１からの指示に基づいて表示を行うが、以下では説明の都合上、表示制御部１４が直接入力された命令を受けているように説明する場合がある。
【００３４】
図３は、ＷＬＡＮの設定画面及びフェムト基地局の通信範囲内にＷＬＡＮの通信を制限するための設定画面の一例の図である。ここで、図３を参照して、ＷＬＡＮの設定時における設定画面及び操作者による操作について説明する。表示制御部１４は、統括制御部１１からのＷＬＡＮの設定画面の表示が指示された場合、ＷＬＡＮ設定のメニュー画面２０１をディスプレイに表示させる。操作者は、ＷＬＡＮの設定を行う場合にはメニュー画面２０１からどのＷＬＡＮの設定を行うかを選び、ＷＬＡＮ設定ボタン２１１を選択する。ＷＬＡＮ設定ボタン２１１が選択されると、表示制御部１４は、ＷＬＡＮ設定画面２０２をディスプレイに表示させる。操作者はＷＬＡＮ設定画面２０２のＳＳＩＤ欄２２１に接続するＷＬＡＮ基地局３の識別情報を入力する。さらに、操作者は認証用番号欄２２２に証明書暗号の入力を行う。証明書暗号は、ＷＬＡＮにおいて暗号化したデータによる通信を行うためのキーである。そして、操作者は、設定ボタン２２３を選択することで、ＷＬＡＮの設定の入力ができる。このＷＬＡＮ設定画面２０２を用いて入力されたＷＬＡＮ基地局の識別情報は通信制限部１１１に記憶される。さらに、操作者は、メニュー画面２０１から設定するＷＬＡＮを選択し、フェムト設定ボタン２１２を選択する。フェムト設定ボタン２１２が選択されると、表示制御部１４は、ＷＬＡＮの通信を制限するための設定画面２０３をディスプレイに表示させる。このとき、設定画面２０３のフェムト識別情報欄２３１には、フェムト通信制御部１２が取得した通信可能なフェムト基地局２の識別情報が自動的に表示される。そして、操作者により設定ボタン２３２を選択されると、通信制限部１１１に設定画面２０２で入力したＷＬＡＮ基地局３の識別情報に対応させて、フェムト基地局２の設定情報が記憶される。ここで、本実施形態では、セキュリティを高めるため、ＷＬＡＮ設定時に証明書暗号を入力し設定するようにしているが、証明書暗号の設定は無くても、本実施例に係る携帯電話装置は動作可能である。
【００３５】
入力制御部１６は、操作者による操作キーを用いたキー入力を統括制御部１１へ送信する。操作者は、ディスプレイに表示されている画面を参照しながら、操作キーを用いてデータの入力を行い、入力されたデータを入力制御部１６が統括制御部１１へ出力する。例えば、入力制御部１６は、操作者が操作キーを用いて入力したＷＬＡＮ通信の開始命令やフェムト通信の開始命令を統括制御部１１へ出力する。
【００３６】
音声入出力制御部１７は、マイクなどの音声入力装置及びスピーカなどの音声出力装置を制御する。音声入出力制御部１７は、統括制御部１１から入力された音声データを音声出力装置に出力させる。また、音声入出力制御部１７は、操作者が発した声を音声入力装置に受信させ、受信した声の音声データを統括制御部１１へ送信する。
【００３７】
次に、図４を参照して、本実施例に係る携帯電話装置１においてＷＬＡＮ通信をフェムト基地局の通信範囲に制限するよう設定するときの処理の流れについて説明する。図４は、実施例１に係る携帯電話装置においてＷＬＡＮ通信をフェムト基地局の通信範囲に制限するよう設定するときの処理のフローチャートである。
【００３８】
表示制御部１４は、図３のＷＬＡＮ設定のメニュー画面２０１をディスプレイに表示させる（ステップＳ１０１）。
【００３９】
操作者により、ＷＬＡＮ設定ボタン２１１が選択されると、表示制御部１４は、ＷＬＡＮ基地局３の設定画面２０２をディスプレイに表示させる。そして、操作者は、設定画面２０２を参照し、操作キーを用いてＷＬＡＮ基地局３の識別情報を入力する（ステップＳ１０２）。さらに、操作者は、設定画面２０２を参照し、操作キーを用いてＷＬＡＮの証明書暗号の入力を行う（ステップＳ１０３）。
【００４０】
次に、操作者により、メニュー画面２０１のフェムト設定ボタン２１２が選択されると、表示制御部１４は、ＷＬＡＮの通信を制限するための設定画面２０３をディスプレイに表示させる。この時、フェムト通信制御部１２は、フェムトセル報知情報を取得する（ステップＳ１０４）。そして、表示制御部１４は、フェムト通信制御部１２から受信したフェムトセル報知情報からフェムト基地局２の識別情報を取得し、設定画面２０３のフェムト識別情報欄２３１にフェムト基地局２の識別情報を表示させる。
【００４１】
操作者により、設定画面２０３の設定ボタン２３２が選択されると、通信制限部１１１は、設定画面２０２で入力されたＷＬＡＮ基地局３の識別情報に対応させて、設定画面２０３で入力されたフェムト基地局２の設定情報を記憶する（ステップＳ１０５）。
【００４２】
次に、図５を参照して、以前に接続したことのあるＷＬＡＮ基地局に接続する場合の処理の流れについて説明する。図５は、実施例１に係る携帯電話装置による以前に接続したことのあるＷＬＡＮ基地局に接続する場合の処理のフローチャートである。
【００４３】
統括制御部１１は、操作者が入力部を用いて入力したＷＬＡＮ基地局への接続要求を受信する（ステップＳ２０１）。
【００４４】
通信制限部１１１は、統括制御部１１がＷＬＡＮ基地局への接続要求を受信すると、まずＷＬＡＮ基地局への接続を禁止する（ステップＳ２０２）。
【００４５】
フェムト通信制御部１２は、フェムトセル報知情報をフェムト基地局２から受信する（ステップＳ２０３）。
【００４６】
通信制限部１１１は、フェムト通信制御部１２から現在通信可能なフェムト基地局２の識別情報を取得する（ステップＳ２０４）。
【００４７】
そして、通信制限部１１１は、指定されたＷＬＡＮ基地局３の識別情報に対応する自己が記憶している初回接続時のフェムト基地局２の識別情報と取得した現在通信可能なフェムト基地局２の識別情報とが一致するか判定する（ステップＳ２０５）。記憶している初回接続時のフェムト基地局２の識別情報と取得した現在通信可能なフェムト基地局２の識別情報とが一致しない場合（ステップＳ２０５否定）、ステップＳ２０３に戻る。
【００４８】
これに対して、記憶している初回接続時のフェムト基地局２の識別情報と取得した現在通信可能なフェムト基地局２の識別情報とが一致した場合（ステップＳ２０５肯定）、通信制限部１１１は、ＷＬＡＮ通信制御部１３に対してＷＬＡＮ基地局３への接続を許可する（ステップＳ２０６）。
【００４９】
ＷＬＡＮ通信制御部１３は、ＷＬＡＮ基地局３へ接続し（ステップＳ２０７）、ＷＬＡＮ通信を開始する。
【００５０】
次に、図６を参照して、ＷＬＡＮ通信を実行時の通信処理について説明する。図６は、実施例１に係る携帯電話装置によるＷＬＡＮ通信を実行時の通信処理のフローチャートである。
【００５１】
ＷＬＡＮ通信制御部１３は、ＷＬＡＮ基地局３へ接続を開始し（ステップＳ３０１）、ＷＬＡＮ通信を行う。
【００５２】
統括制御部１１は、随時通信可能なフェムト基地局２からフェムトセル報知情報を受信する。そして、通信制限部１１１は、統括制御部１１が受信したフェムト基地局２の識別情報と通信を行っているＷＬＡＮ基地局３に対応するフェムト基地局２の識別情報を比較し、通信開始時のフェムト基地局２の通信圏内か否かを判定する（ステップＳ３０２）。通信開始時のフェムト基地局２の通信圏内の場合（ステップＳ３０２肯定）、ＷＬＡＮ通信制御部１３は、ＷＬＡＮ基地局３の通信圏内かを判定する（ステップＳ３０３）。ＷＬＡＮ基地局３の通信圏内の場合（ステップＳ３０３肯定）、統括制御部１１は、入力制御部１６からの通信の終了命令が入力されたか否かを判定する（ステップＳ３０４）。通信の終了命令が無い場合（ステップＳ３０４否定）、ステップＳ３０２へ戻り通信を継続する。
【００５３】
これに対して、通信開始時のフェムト基地局２の通信圏内でない場合（ステップＳ３０２否定）、通信制限部１１１は、ＷＬＡＮ通信制御部１３に対して現在通信を行っているＷＬＡＮ基地局３への接続を禁止にする（ステップＳ３０５）。そして、ＷＬＡＮ通信制御部１３は、ＷＬＡＮ基地局３への接続禁止を受けて通信を切断する（ステップＳ３０６）。また、ＷＬＡＮ基地局３の通信圏外の場合（ステップＳ３０３否定）及び通信の終了命令の入力があった場合（ステップＳ３０４肯定）も、ＷＬＡＮ通信制御部１３は、通信を切断する（ステップＳ３０６）。
【００５４】
ここで、図７及び図８を参照して、ＷＬＡＮ通信のフェムト基地局の通信範囲内への制限の設定及び携帯電話がフェムト基地局の通信範囲外へ移動した場合の全体的な動作の概要についてさらに説明する。図７は、実施例１におけるＷＬＡＮ通信のフェムト基地局の通信範囲内への制限の設定を説明するための概略図である。また、図８は、実施例１において携帯電話装置がフェムト基地局の通信範囲外へ移動した場合の動作を説明するための概略図である。
【００５５】
図７の通信範囲３０２がフェムト基地局２の通信範囲である。また、通信範囲３０１がＷＬＡＮ基地局３の通信範囲である。まず、図７に示すように、携帯電話装置１は、通信範囲３０１と通信範囲３０２の両方が重なる領域に存する。この状態で、携帯電話装置１が初めてＷＬＡＮ基地局３に接続する場合、携帯電話装置１は、入力制御部１６からＷＬＡＮ基地局３の識別情報及び認証用暗号の入力を受ける。さらに、携帯電話装置１は、フェムト基地局２からフェムトセル報知情報を受信し、フェムト基地局２の識別情報を取得する。そして、携帯電話装置１は、テーブル３０３のように、ＷＬＡＮ基地局３の識別情報、認証用暗号及びフェムト基地局２の識別情報を対応付けて記憶する。
【００５６】
次に、図７の状態から図８に示すように携帯電話装置１が通信範囲３０１の外に移動したとする。この場合、携帯電話装置１は、フェムト基地局２との通信ができなくなる。そこで、携帯電話装置１は、通信可能なフェムト基地局２が無いと判定する。そして、携帯電話装置１は、自己の記憶しているテーブル３０３を参照して、ＷＬＡＮ基地局３に対応するフェムト基地局２の識別情報と現在通信可能なフェムト基地局２の識別情報とが一致しないと判定する。そうすると、携帯電話装置１は、ＷＬＡＮ基地局３の通信範囲３０２の中に存する場合でも、ＷＬＡＮ基地局３との通信を切断する。
【００５７】
図９は、携帯電話装置のハードウェア構成図である。ＷＬＡＮ通信部４０１及びアンテナ４１１がＷＬＡＮ通信制御部１３の一例にあたる。また、無線通信部４０２及びアンテナ４２１がフェムト通信制御部１２の一例にあたる。また、表示部４０３がディスプレイにあたる。また、音声入出力部４０４、マイク４４１及びスピーカ４４２は音声入出力制御部１７によって制御される。また、キー入力部４０５は操作キーなどである。さらに、プロセッサ４００及び記憶部４０６が統括制御部１１及び通信制限部１１１の一例にあたる。具体的には、記憶部４０６は、メモリやハードディスクなどである。記憶部４０６は、プログラム記憶部４６１、データ記憶部４６２及びＲＡＭ(Random Access Memory)４６３を有している。ＵＩＭ(User Identity Module)４０８は、電話番号が記憶されている記憶媒体である。また、装着部４０７はＵＩＭ４０８を装着する機構である。
【００５８】
プログラム記憶部４６１には、図５〜図７に示したＷＬＡＮ通信をフェムト基地局２の通信範囲に制限しＷＬＡＮ通信を行う処理を実行する機能を発揮する携帯電話制御プログラム等の各種プログラムが予め記憶されている。そして、プロセッサ４００は、これらのプログラムを読み出して実行することにより、図２に示した統括制御部１１等の各制御部として機能するプロセスを実行する。
【００５９】
以上に説明したように、本実施例に係る携帯電話装置はＷＬＡＮ通信をフェムト基地局の通信範囲に制限することができる。これにより、ＷＬＡＮの通信可能範囲に比べて小さな範囲に限定されるフェムトセル内でしか、携帯電話装置を用いたＷＬＡＮ通信を行うことができなくなる。これにより、会社の建物の中にＷＬＡＮ基地局及びフェムト基地局が設置してある場合に、たとえＷＬＡＮの通信範囲が会社の建物の外まで広がっていたとしても、フェムトセルが会社の建物内に収まっていれば建物の外から会社のＷＬＡＮに接続できなくなる。したがって、セキュリティを向上させることが可能となる。
【実施例２】
【００６０】
図１０は、実施例２に係る携帯電話装置のブロック図である。本実施例に係る携帯電話装置１は、自装置に設定された電話番号が初回通信時の電話番号と異なる場合にもＷＬＡＮ通信を切断することが実施例１と異なる。そこで以下では、電話番号に基づくＷＬＡＮ接続の判定について主に説明する。本実施例に係る携帯電話装置１は、図１０に示すように実施例１の携帯電話装置１にさらに電話番号取得部１８を加えたものである。図１０において、図２と同じ符号を有する各部は、特に説明の無い限り同じ機能を有するものとする。
【００６１】
図９における装着部４０７は、ＵＩＭ４０８を装着するための機構である。装着部４０７は、ＵＩＭ４０８が着脱可能である。
【００６２】
ＵＩＭ４０８は、予め設定された電話番号を記憶している。実際には、ＵＩＭ４０８は、電話番号を特定するための固有のＩＤ番号が記憶されており、そのＩＤ番号に基づいて電話番号を特定することができるものである。ただし、ＩＤ番号と電話番号とは一意に対応するため、ＩＤ番号は電話番号として置き換えて考えることもできる。そこで、ここでは説明の都合上、直接電話番号を記憶しているものとして説明する。このＵＩＭ４０８が「電話番号記憶媒体」の一例にあたる。
【００６３】
電話番号取得部１８は、装着部４０７に装着されたＵＩＭ４０８から電話番号を取得する。そして、電話番号取得部１８は、取得した電話番号を統括制御部１１へ出力する。このように、電話番号取得部１８が統括制御部１１に電話番号を出力することで、電話番号が設定される。言い換えれば、ＵＩＭ４０８を装着部４０７に装着することで、携帯電話装置１にＵＩＭ４０８が記憶している電話番号が設定されることになる。また、上述したように、ＵＩＭ４０８は、装着部４０７に対して着脱可能である。すなわち、異なる電話番号を記憶しているＵＩＭ４０８に差し替えることで携帯電話装置１に設定されている電話番号を変更することが可能である。
【００６４】
統括制御部１１は、ＷＬＡＮ基地局３への接続命令を入力制御部１６から受けた場合、フェムト通信制御部１２から通信可能なフェムト基地局２のフェムトセル報知情報を取得する。さらに、統括制御部１１は、装着部４０７に装着されているＵＩＭ４０８が記憶している電話番号の入力を電話番号取得部１８から受ける。
【００６５】
通信制限部１１１は、初めて接続するＷＬＡＮ基地局３へ接続する場合、まず、ＷＬＡＮ通信制御部１３のＷＬＡＮ基地局３への接続を禁止する。そして、通信制限部１１１は、統括制御部１１が取得したフェムトセル報知情報に含まれるフェムト基地局２の識別情報及び電話番号を、接続対象として指定されたＷＬＡＮ基地局３の識別情報に対応付けて記憶する。その後、通信制限部１１１は、ＷＬＡＮ通信制御部１３のＷＬＡＮ基地局３への接続を許可する。ただし、通信制限部１１１は、フェムトセル報知情報が取得できない場合には、ＷＬＡＮ通信制御部１３のＷＬＡＮ基地局３への接続を禁止したままにする。
【００６６】
また、以前接続したＷＬＡＮ基地局３へ接続する場合、通信制限部１１１は、まず、ＷＬＡＮ通信制御部１３のＷＬＡＮ基地局３への接続を禁止する。そして、通信制限部１１１は、統括制御部１１が取得した現在通信が可能なフェムト基地局２の識別情報及び現在携帯電話装置１に設定されている電話番号を取得する。そして、通信制限部１１１は、現在通信が可能なフェムト基地局２の識別情報及び現在携帯電話装置１に設定されている電話番号と、初回接続時に記憶したフェムト基地局２の識別情報及び電話番号とを比較する。そして、通信制限部１１１は、フェムト基地局２の識別情報又は電話番号のいずれか一つでも一致しない場合には、ＷＬＡＮ通信制御部１３のＷＬＡＮ基地局３への接続を禁止する。これにより、ＷＬＡＮ通信制御部１３は、ＷＬＡＮ通信を切断することになる。
【００６７】
図１１は、実施例２に係る携帯電話装置におけるＷＬＡＮ通信をフェムト基地局２の通信範囲に制限する設定画面の一例の図である。ここで、図１１を参照して、本実施例においてＷＬＡＮ通信をフェムト基地局の通信範囲に制限する設定を行う場合に使用する画面及び操作について説明する。
【００６８】
図１１に示すように、本実施例に係る携帯電話装置１では、ＷＬＡＮ通信をフェムト基地局の通信範囲に制限する設定画面２０３に、電話番号欄２３３が設けられている。統括制御部１１は、操作者からの設定画面２０３の表示要求を受けて、フェムト通信制御部１２から受信したフェムトセル報知情報からフェムト基地局２の識別情報を取得し、さらに、ＵＩＭ４０８が記憶する電話番号を取得する。表示制御部１４は、フェムト基地局２の識別情報及び電話番号を統括制御部１１から取得する。そして、表示制御部１４は、フェムト識別情報欄２３１にフェムト基地局２の識別情報を付加し、電話番号欄２３３に電話番号を付加した設定画面２０３をディスプレイに表示させる。そして、操作者が、設定ボタン２３２を選択すると、通信制限部１１１は、ＷＬＡＮ基地局３の識別情報に対応させて、フェムト基地局２の識別情報及び電話番号を記憶する。
【００６９】
次に、図１２を参照して、以前に接続したことのあるＷＬＡＮ基地局３に接続する場合の処理の流れについて説明する。図１２は、実施例２に係る携帯電話装置による以前に接続したことのあるＷＬＡＮ基地局に接続する場合の処理のフローチャートである。
【００７０】
統括制御部１１は、操作者が操作キーを用いて入力したＷＬＡＮ基地局への接続要求を入力制御部１６から受信する（ステップＳ４０１）。
【００７１】
通信制限部１１１は、統括制御部１１がＷＬＡＮ基地局への接続要求を受信すると、まずＷＬＡＮ基地局３への接続を禁止する（ステップＳ４０２）。
【００７２】
フェムト通信制御部１２は、フェムトセル報知情報をフェムト基地局２から受信する（ステップＳ４０３）。
【００７３】
通信制限部１１１は、フェムト通信制御部１２から現在通信可能なフェムト基地局２の識別情報を取得する（ステップＳ４０４）。
【００７４】
そして、通信制限部１１１は、指定されたＷＬＡＮ基地局３の識別情報に対応する自己が記憶している初回接続時のフェムト基地局２の識別情報と取得した現在通信可能なフェムト基地局２の識別情報とが一致するか判定する（ステップＳ４０５）。記憶している初回接続時のフェムト基地局２の識別情報と取得した現在通信可能なフェムト基地局２の識別情報とが一致しない場合（ステップＳ４０５否定）、ステップＳ４０３に戻る。
【００７５】
これに対して、記憶している初回接続時のフェムト基地局２の識別情報と取得した現在通信可能なフェムト基地局２の識別情報とが一致した場合（ステップＳ４０５肯定）、通信制限部１１１は、初回接続時に記憶した電話番号と携帯電話装置１に現在設定されている電話番号が一致するか否かを判定する（ステップＳ４０６）。電話番号が一致しない場合（ステップＳ４０６否定）、ステップＳ４０３に戻る。
【００７６】
これに対して、電話番号が一致した場合（ステップＳ４０６肯定）、通信制限部１１１は、ＷＬＡＮ通信制御部１３に対してＷＬＡＮ基地局３への接続を許可する（ステップＳ４０７）。
【００７７】
ＷＬＡＮ通信制御部１３は、ＷＬＡＮ基地局３へ接続し（ステップＳ４０８）、ＷＬＡＮ通信を開始する。
【００７８】
さらに、図１３及び図１４を参照して、本実施例におけるＷＬＡＮ通信のフェムト基地局の通信範囲内への制限の設定及び携帯電話装置がフェムト基地局の通信範囲外へ移動した場合の全体的な動作の概要についてさらに説明する。図１３は、実施例２におけるＷＬＡＮ通信のフェムト基地局の通信範囲内への制限の設定を説明するための概略図である。また、図１４は、実施例２において携帯電話装置がフェムト基地局の通信範囲外へ移動した場合の動作を説明するための概略図である。
【００７９】
まず、図１３に示すように、携帯電話装置１は、通信範囲３０１と通信範囲３０２の両方が重なる領域に存する。この状態で、携帯電話装置１が初めてＷＬＡＮ基地局３に接続する場合、携帯電話装置１は、入力制御部１６からＷＬＡＮ基地局３の識別情報及び認証用暗号の入力を受ける。さらに、携帯電話装置１は、フェムト基地局２からフェムトセル報知情報を受信し、フェムト基地局２の識別情報を取得する。さらに、携帯電話装置１は、装着されているＵＩＭ４０８ａが記憶する電話番号を取得する。そして、携帯電話装置１は、テーブル３０４のように、ＷＬＡＮ基地局３の識別情報、認証用暗号、フェムト基地局２の識別情報及び電話番号を対応付けて記憶する。
【００８０】
次に、図１３の状態から図１４に示すように携帯電話装置１の装着部４０７に装着されていたＵＩＭ４０８ａからＵＩＭ４０８ｂに差し替えられたとする。この場合、ＷＬＡＮ基地局３への接続要求を受信すると、携帯電話装置１は、自装置に設定されている電話番号としてＵＩＭ４０８ｂが記憶している電話番号を取得する。そして、携帯電話装置１は、自己の記憶しているテーブル３０４を参照して、取得したＵＩＭ４０８ｂが記憶している電話番号と、初回接続時に記憶したＵＩＭ４０８ａが記憶している電話番号とを比較し、電話番号が不一致と判定する。そうすると、携帯電話装置１は、ＷＬＡＮ基地局３の通信範囲３０２の中に存し且つフェムト基地局２の通信範囲３０１に存する場合でも、ＷＬＡＮ基地局３との通信を切断する。
【００８１】
また、ここではＵＩＭ４０８が差し替えられた場合について説明したが、フェムト基地局２の通信範囲３０１の外に移動した場合にも、実施例１と同様に携帯電話装置１はＷＬＡＮ基地局３との通信を切断する。
【００８２】
以上に説明したように、本実施例に係る携帯電話装置は、初回接続時の電話番号と現在設定されている電話番号が一致しない場合にも、ＷＬＡＮ通信を禁止する。これにより、よりセキュリティを高めることができる。
【００８３】
また、ＷＬＡＮ基地局に接続している場合には、携帯電話装置に設定されている電話番号は初回接続時に設定されていた電話番号と一致していることになる。すなわち、ＷＬＡＮ基地局に接続している状態であれば、携帯電話装置の電話番号を特定することができる。これにより、ＷＬＡＮ基地局に接続している携帯電話装置に対しては、常に「設定初期化」の制御ＳＭＳ(Short Message Service)を送信することができ、設定情報の初期化を行うことができる。したがって、よりセキュリティを向上させることが可能となる。
【符号の説明】
【００８４】
１  携帯電話装置
２  フェムト基地局
３  ＷＬＡＮ基地局
４  インターネット
５  フェムト基地局制御装置
６  公衆携帯電話網
１１  統括制御部
１２  フェムト通信制御部
１３  ＷＬＡＮ通信制御部
１４  表示制御部
１６  入力制御部
１７  音声入出力制御部
１８  電話番号取得部
【図１】
0005494368.tif 000002
【図２】
0005494368.tif 000003
【図３】
0005494368.tif 000004
【図４】
0005494368.tif 000005
【図５】
0005494368.tif 000006
【図６】
0005494368.tif 000007
【図７】
0005494368.tif 000008
【図８】
0005494368.tif 000009
【図９】
0005494368.tif 000010
【図１０】
0005494368.tif 000011
【図１１】
0005494368.tif 000012
【図１２】
0005494368.tif 000013
【図１３】
0005494368.tif 000014
【図１４】
0005494368.tif 000015